(57)【要約】【課題】背筋の他に腹筋も鍛えることができ、全身運動に役立ち、活用範囲が広く、健康維持及び健康増進に効果が得られ、痩身を図ることができる簡易な健康器具を提供する。【解決手段】硬質性を有する円筒状芯材２を弾性を有する肉厚な指圧部材３で覆い、芯材２の端面から指圧部材３の表面を装飾材４で被覆し、中央に貫通した孔５は密閉可能な収容空間とした筒状体である器具本体１としたものであり、適度の伸縮性を有する材質からなる丈夫な紐１０の両端に、柔軟性を有する環状の取っ手１１を一体に設けた補助器具９や、適度の伸縮性を有する材質からなる丈夫な紐１３に多数の球状の指圧具１４を取り付け、紐１３の両端は連結部材１５を使用して着脱可能とした補助器具１２と共用することができる。【選択図】図１
2010022729.tif 000002
【特許請求の範囲】
【請求項１】
硬質性を有する円筒状芯材を弾性を有する肉厚な指圧部材で同心状に覆い、芯材の端面から指圧部材の表面を装飾材で被覆し、中央に貫通した孔は密閉可能な収容空間とした筒状体である器具本体としたことを特徴とする健康器具。
【請求項２】
硬質性を有する円筒状芯材を弾性を有する肉厚な指圧部材で同心状に覆い、芯材の端面から指圧部材の表面を装飾材で被覆し、中央に貫通した孔は密閉可能な収容空間とした筒状体である器具本体と、適度の伸縮性を有する材質からなる丈夫な紐の両端に、柔軟性を有する環状の取っ手を一体に設けた補助器具とから成ることを特徴とする健康器具。
【請求項３】
器具本体の中央の孔はキャップにより密閉可能としたことを特徴とする請求項１及び２に記載する健康器具。
【請求項４】
硬質性を有する円筒状芯材を弾性を有する肉厚な指圧部材で同心状に覆い、芯材の端面から指圧部材の表面を装飾材で被覆し、中央に貫通した孔は密閉可能な収容空間とした筒状体である器具本体と、適度の伸縮性を有する材質からなる丈夫な紐に多数の球状の指圧具を取り付け、紐の両端は連結部材を使用して着脱可能とした補助器具とから成ることを特徴とする健康器具。
【請求項５】
指圧具は丸い球である請求項４に記載する健康器具。
【請求項６】
指圧具は横長な球である請求項４に記載する健康器具。
【発明の詳細な説明】
【技術分野】
【０００１】
本発明は健康器具に関し、特に、背筋や腹筋を鍛えて腰痛の発症を予防し、同時に肥満を解消して痩身に役立つとともに生活習慣病を予防し或いは改善することに役立つ扱いに便利な健康器具に関するものである。
【背景技術】
【０００２】
運動不測により背筋力や腹筋力等が低下し、その結果、腰を痛める原因となっていた。また、近年では肥満が原因で血圧や血糖値、コレステロール値が高くなり、生活習慣病の予備軍或いは患者が増えてきている。
【０００３】
特に、メタボリック・シンドローム（内臓脂肪症候群）では、男性の胴囲は８５ｃｍ以上、女性の場合は９０ｃｍ以上を基準にしてこれに高血圧、高血糖、脂質代謝等が１つ該当するとメタボリック予備軍といわれ、二つ以上が該当するとメタボリックの可能性が強く疑われるようになっており、身体を鍛えることが要求されている。
【０００４】
健康維持、健康増進のためには適度の運動が必要であり、種々の運動器具が提供されているが、自宅に設置するには大掛かりであって場所を必要とし、設備費用が高価なものである。手軽な健康器具としては特許文献１に示す特願２００４−３０５２３２により公開された腰痛を治すための発明がある。
【０００５】
この健康器具１は、剛性を有する材料で形成された円筒パイプ状をしている。使用に際しては、健康器具１を床３に転がし、その上に人６が背中または腰を載せて仰向けに寝ころがる。この仰向けの状態で健康器具１を転がしながら往復動し、背中や腰を伸ばすものである。
【０００６】
また、腰痛を治す健康器具として特許文献２に示す特願２００４−２６１４０５として提供された発明がある。この健康器具１は、剛性を有する円柱状の回転体２と、回転体２を回転可能に支持する支持体３とからなり、回転体２の全面は弾性を有するゴム製シート８を取り付け、シート８の全面には指圧用突起９を複数形成したものである。
【０００７】
使用に際しては、健康器具１を床に設置し、回転体２上に人３２が背中や腰を載せて仰向けに寝ころがる。この状態で回転体２を回転させながら往復動し、背中や腰を伸ばすととともに指圧用突起９で指圧を行うものである。
【０００８】
また、実用新案登録第３０８７００２号として按摩ロール装置が提供されている。このロール装置は、所定の長さの硬質筒体１１の外表面に軟質筒体１２をスリーブし、外軟内硬のロール構造１０を形成したものである。
【０００９】
使用に際しては、ロール構造１０を平面に配置し、背部をロール構造１０に臥圧し、ロール構造１０を回転させる。身体の重量により背部が軟質筒体１２を介し柔軟性のロール按摩の効果が形成され、身体のストレッチ効果が得られ、血液循環を促進できる効果が開示されている。
【特許文献１】特願２００４−３０５２３２公報
【特許文献２】特願２００４−２６１４０５公報
【特許文献３】実用新案登録第３０８７００２号公報
【発明の開示】
【発明が解決しようとする課題】
【００１０】
特許文献１の健康器具１は、剛性を有する円筒パイプ状であり、背中や腰を載せた場合、体重が重い者では健康器具１としての剛性材の刺激が強く、長い間での使用では背中が痛くなり、背筋強化の効果は得られないものである。
【００１１】
特許文献２で示される回転体では全周面に指圧用突起が形成されているが、突起が硬いものであれば背中が痛くなり、長い時間は使用できない。逆に、突起が柔らかい場合には、背中を載せることで突起が潰れてしまい、指圧効果は期待できないものである。
身体の大きさや体重による個人差があり、突起の有効性は期待できないものである。
【００１２】
特許文献３に示すロール装置では、硬質筒体１１の表面に取り付けられる軟質筒体１２に体重が加わるが、筒体１１が大径であるために全体の直径の関係で筒体１２の厚さは薄くなるものであり、体重によっては筒体１１の背中に加わる圧力が強くなり、個人差によって得られる効果が異なるものである。
【００１３】
上記する先行技術として開示された技術は、特許文献１の円筒パイプ状の健康器具、特許文献２の支持台上に回転可能に設置した回転体或いは特許文献３の外軟内硬のロール構造の上に背中を載せるものである。いずれの場合でも仰向けに寝て身体を往復動させることで健康器具や回転体、ロール構造を回転させ、背中に刺激を与えるものである。
【００１４】
総じて、各先行技術文献に記載される発明は、単に背中を刺激するのみであるので、背部の筋肉を鍛えることはできても、腹筋を鍛える効果は期待できないものである。しかも、健康器具や回転体、ロール構造は背中の刺激のみであり、腹部には応用できないものであるため、利用範囲は非常に狭いものである。
【００１５】
しかも、健康器具や回転体、ロール構造の上に背中を載せ、身体の往復動によってこれらを回転させるものであるが、常に身体と平行に回転するものではなく、斜めに位置ずれを生ずることがある。その都度、身体に合わせて健康器具や回転体、ロール構造をセットする必要があり、面倒なものであった。
【００１６】
本発明は、上記する従来の先行技術に鑑み、長時間使用しても身体に痛みがなく、背筋の他に腹筋も鍛えることができ、全身運動に役立ち、活用範囲が広く、健康維持及び健康増進に効果が得られ、痩身を図ることができる簡易な健康器具を提供することを目的とするものである。
【課題を解決するための手段】
【００１７】
上記の目的を達成するため本発明健康器具は、硬質性を有する円筒状芯材２を弾性を有する肉厚な指圧部材３で同心状に覆い、芯材２の端面から指圧部材３の表面を装飾材４で被覆し、中央に貫通した孔５は密閉可能な収容可能とした筒状体である器具本体１からなるものである。
【００１８】
また、本発明の健康器具は、硬質性を有する円筒状芯材２を弾性を有する肉厚な指圧部材３で同心状に覆い、芯材２の端面から指圧部材３の表面を装飾材４で被覆し、中央に貫通した孔５は密閉可能な収容可能とした筒状体である器具本体１と、適度の伸縮性を有する材質からなる丈夫な紐１０の両端に、柔軟性を有する環状の取っ手１１を一体に設けた補助器具９とからなるものである。
【００１９】
更に、本発明健康器具は、硬質性を有する円筒状芯材２を弾性を有する肉厚な指圧部材３で同心状に覆い、芯材２の端面から指圧部材３の表面を装飾材４で被覆し、中央に貫通した孔５は密閉可能な収容可能とした筒状体である器具本体１と、適度の伸縮性を有する材質からなる丈夫な紐１３に多数の球状の指圧具１４を取り付け、紐１３の両端は連結部材１５を使用して着脱可能とした補助器具１２とからなるものである。
【００２０】
請求項１、２に記載する中央の孔５は嵌め込み可能なキャップ８で密閉可能であり、また、請求項３に記載する紐１３に設けた多数の指圧具１４は丸い球であるか、横長な球である。
【発明の効果】
【００２１】
本発明になる器具本体１の上に仰向けに寝て、身体を前後に動かすことで器具本体１を回転させ、人６の背中の筋肉を刺激するので、筋肉強化に役立って腰痛を予防し、前後運動をすることで心身爽快となり、痩身効果が得られるものである。
【００２２】
器具本体１を形成する指圧部材３は、円筒体全体として大きな厚さを有しており、かつ、背中に対して適度の弾性作用を有し、背筋を適度に刺激して強化に役立つものであり、人によって体重を異にしても、特に、体重の重い者でも長い時間の刺激に耐えることができる。
【００２３】
器具本体１と、両端に取っ手１１を有する紐１０からなる補助器具９を使用することで、身体と器具本体１との位置ずれを起こすことなく背中を刺激することができ、器具本体１を腹の上に載せることで筋肉を刺激して強化することができ、また、器具本体１に足をかけ紐１０を持つことで屈伸運動が可能であるから、背筋と腹筋を同時に強化するとともに全身運動に役立つものである。
【００２４】
芯材２は硬質性を有するので器具本体１上に身体を載せても全体がつぶれることはなく、器具本体１の芯材２からなる孔５内にはタオルや柔軟性を有する補助器具９を入れることができ、両方の孔５をキャップ８で塞ぐことにより品物をを収容することができ、整理に便利であり、取扱いや持ち運びに容易である。
【００２５】
紐１３に多数の指圧具１４を設け、紐１３の両端を着脱可能とした補助器具１２と器具本体１とを共用することで、背筋と腹筋との同時強化が可能であり、しかも、補助器具１２の大きさや重さが手ごろであるから取扱いやすいものである。
【００２６】
本発明に健康器具を日常使用することで筋肉を強化して健康増進に役立ち、肥満を解消し、メタボリック・シンドロームの解消に役立つものである。
【００２７】
本発明において使用する器具本体１の全長は約４０〜４５ｃｍ、直径は約１７ｃｍ、芯材２の外径を７ｃｍ、指圧部材３の厚さを５ｃｍの大きさとして出願人自身が約三ヶ月間、一日に５分実験した結果、体重が約４キロ軽くなり、また胴回りが約５ｃｍ細くなって引き締まり、身体が動きやすく、便通がよくなった。
【発明を実施するための最良の形態】
【００２８】
以下、図面に従って本発明の最良の実施形態を説明する。
図１、図２は本発明健康器具の第１の実施形態を示し、健康器具を形成する器具本体１は、金属、プラスチックのような硬質性を有する材質からなる円筒状の芯材２の表面をゴムやウレタンフォーム等の適度の弾力性を有する材質からなる肉厚な指圧部材３で同心状に覆ったものである。
【００２９】
そして、芯材２の両端面から指圧部材３の全表面を合成繊維や合成皮革等の装飾材４により、例えば、接着剤を使用して被覆し、芯材１で形成した中央の貫通する孔５は密閉可能な収容可能として利用でき、全体として肉厚な筒状体である。
【００３０】
大きさとしては全長が約４０〜４５ｃｍ、円筒体全体の直径が約１７ｃｍ、芯材２の外径が約７ｃｍ、芯材２の厚さは約５ｍｍ、芯材２の周りに環状に巻いた指圧部材３の厚さは約５ｃｍ位が取扱いやすく、持ち運びに便利であるが、この大きさに限定するものではない。
【００３１】
上記の器具本体１は、室内において床の上に横長にして置き、図３に示すように、人６が仰向きに寝て器具本体１上に背中を載せる。この状態で器具本体１を転がすように身体を前後に動かせば、器具本体１は身体の下で肩に近い部分から腰の辺りまでの背中全面を回転しつつ移動して指圧部材３の弾性作用が背中を刺激することになる。
【００３２】
この運動を数分から数十分繰り返し行うことで体重が器具本体１上に載って背中側の筋肉を刺激し、鍛えることになる。同時に、前後への運動をすることで全身の運動となり、腹筋を鍛えることになり、腰痛を防止するものである。また、運動によって肥満を防止或いは解消し、痩身に役立つものである。
【００３３】
前記の指圧部材３は、円筒体の半径方向に体重が加わった時の圧縮力に対して反発する弾性力を有しており、かつ、円筒体全体で比較すると肉厚に形成してあるので、体重に軽重の差がある場合でも筋肉を刺激することができ、筋肉強化に役立つものである。
【００３４】
背中は適度の弾性を有する指圧部材３上に載るので痛さを感じることはなく、長時間の指圧作用に耐えることができる。しかも、指圧部材３は弾性を有するので、体重による個人差がある場合でも充分に対応することができる。尚、使用に際しては両ひざを延ばさずに上方へ曲げておくと腰を痛めることがなく、前後に移動しやすいものである。
【００３５】
前記の器具本体１に使用する芯材２は、常態では指圧部材１に加わる体重を支えるものであるが、芯材２の孔５は他の物を収容する空間として使用できる。例えば、健康器具を使用して汗をかいた場合にはタオルが必要であるが、タオルをこの孔内に入れておけば必要に応じて取り出して使用でき便利である。
【００３６】
しかし、単に入れておくだけでは、器具本体１が回転を続ける時にタオルが孔５から飛び出し汚れる恐れがある。そのため、図４に示すように、孔５内に嵌め込むことのできる差込部７を有するプラスチックのような板状のキャップ８を用意し、孔５内にタオル（図示せず）を収容し、孔５の両側面にキャップ８の差込部７を嵌め込み、孔５を密閉すればよい。
【００３７】
孔５内にタオルその他運動に際して使用する品物を収容し、孔５をキャップ８で密閉しても器具本体１自体は単独で初期の目的に使用することが可能であり、キャップ８自体は板状であるからその存在が邪魔になるものではない。尚、キャップ８は一例を示すものであり、孔５を塞いで品物の飛び出しを防止できれば他の形状や構造のキャップでもよい。
【００３８】
図５は本発明健康器具の第２の実施形態を示し、前記と同じ部分は同じ符号を使用している。この実施形態においては器具本体１に第１の補助器具９を設けたことに特徴を有している。この補助器具９は、適度の伸縮性を有するゴムのような材質からなる丈夫な紐１０の両端に、柔軟性を有する環状或いは三角状の取っ手１１を一体に設けたものである。
【００３９】
紐１０は、一方の取っ手１１を前記する中央の孔５に片側から挿入して反対側に引き出し、両方の取っ手１１を器具本体１の両側に出しておく。このようにして器具本体１と補助器具９を一体化させた後、前記実施形態と同じく床上に定置した器具本体１上に人６の背中を載せ、図６に示すように、紐１０両端の取っ手１１を両方の手で持って上方に持ち上げるか、紐１０を両横へ水平に延ばした状態とする。
【００４０】
この状態で身体を前後方向に動かして器具本体１を回転させれば、紐１０があることで器具本体１と背中とが位置ずれを起こすことがなく、安定した状態で背中全体を刺激し、背筋を強化することができる。紐１０は伸縮性を有するので、手の長さが異なるような場合の身体の大きさに対応することができる。
【００４１】
図７は、第２の実施形態に示す健康器具の他の使用例を示すものである。人６が身体を仰向けに寝た状態で器具本体１を腹の上に載せ、身体の両側へ水平に延ばした紐１０の両側の取っ手１１を持って器具本体１を身体にそって前後に回転移動させれば指圧部材３の弾性力が腹の筋肉を刺激し、腹筋の強化に役立たせることができる。この時、器具本体１を腹に圧迫させるように紐１０で下方向への力を加えればよい。
【００４２】
図８は、更に、第２の実施形態に示す健康器具の他の使用例を示すものである。まず、お尻を床に置き、両足のひざを上に曲げた状態で足裏を器具本体１の側面にかけて紐１０の両取っ手１１を持ち、例えば、仰向けの状態から上半身を起立させる。
【００４３】
このように実線の仰向けに寝ている状態と鎖線の垂直に起立するという上半身の屈伸運動を数分から数十分繰り返し行うことで、腹筋や背筋を同時に鍛えることができ、腰痛を予防し、肥満の防止或いは改善に役立つものである。
【００４４】
紐１０は丈夫であり、かつ、適度の伸縮性を有するので、仰向けの状態から上半身を起こす時には紐１０は縮み、逆に起立している状態から仰向けになる時には紐１０は伸びるので、紐１０は屈伸運動に際し補助的作用をすることになり、無理なく運動を行うことができる。また、補助器具９は取り外すことで第１実施形態に示すように器具本体１だけを使用することができる。
【００４５】
尚、タオルに代え或いはタオルとともに孔５内に補助器具９を全て収容し、図４と同じく孔５の両側面にキャップ８の差込部７を嵌め込み密閉することで器具本体１自体を初期の目的に使用することが可能である。孔５内に入れることで補助器具９の整理ができ、補助器具９を再度使用する時に便利である。
【００４６】
図９は本発明健康器具の第３の実施形態を示し、前記の各実施形態と同じ部分は同じ符号を使用している。この実施形態においては、前記する器具本体１に第２の補助器具１２を設けたことに特徴を有している。
【００４７】
この実施形態において使用する補助器具１２は、図１０に示すように、適度の伸縮性を有するゴムのような材質からなる丈夫な紐１３に多数の球状の指圧具１４を遊嵌して取り付け、紐１３の両端は連結部材１５を使用して着脱可能としたものである。尚、指圧具１４は、丸い球であってもよく、或いは図示のように紐１３にそった横長な形状でもよく、硬質のプラスチックや木からなっている。
【００４８】
連結部材１５としては公知のものを使用することができる。即ち、図１１に示すように、一方の連結具１６は、後端を外方向に拡開する弾性作用を有する２本の爪１７を有し、他方の連結具１８は、２本の爪１７を挟み込んで掴むことのできる２本の握持部１９を有している。
【００４９】
従って、連結具１６を連結具１８内に挿し込めば爪１７は握持部１９内に入り、両側から掴まれて抜けることはない。両連結具１６、１８を開放する時には両側の握持部１９を内側に押すだけで爪１７を掴む力が外れ、連結具１６を連結具１８から抜き取ることができる。この連結部材１５は一例を示すものであり、紐１３の両端を着脱可能に連結するものであれば他の構造の連結部材でもよい。
【００５０】
使用に際しては連結部材１５を外し、一方の連結具、例えば、連結具１６を中央の孔５の片側に挿し入れて孔５の反対側から引き出し、両連結具１６、１８を前記のように連結し、紐１３を環状に一本化する。そして、連結部材１５を中心にした紐１３の部分を孔５内に収容した状態とし、多数の指圧具１４は器具本体１の片側の外側面に位置させる。
【００５１】
この状態で器具本体１を床の上に置き、図１２に示すように、器具本体１と補助器具１２との間に身体を入れ、背中は器具本体１の上に載せ、補助器具１２は腹の上に載せる。  前記と同じようにして身体を前後方向に動かして器具本体１を回転させれば、同時に多数の指圧具１４が腹の上を転がるようにして器具本体１と同じ方向に動くことになる。従って、背筋と同時に腹筋を鍛えることになる。
【００５２】
紐１３は伸縮性を有しており、常態では器具本体１と補助器具１２との間隔は狭くなっている。上記のようにして器具本体１と補助器具１２との間に身体を入れた時、身体は器具本体１と補助器具１２との間に圧迫されたようになり、筋肉に対する刺激力は強いものである。特に、補助器具１２で身体は締付けられた状態となるので背中と器具本体１との位置ずれを生ずることはない。
【００５３】
特に、太っている人６のお腹は丸く出っ張っている場合が多いが、紐１３がお腹の出っ張りにそって多数の指圧具１４を押し付けることになり、更に、各指圧具１４は点圧接するので、指圧効果は大きく、腹筋の刺激は大きいものである。
【００５４】
図１３は、第３の実施形態で示す器具本体１とこれに取り付けた補助器具１２との他の使用例を示すものである。お尻を床或いは椅子の上に載せて上半身を起立させるか、全身を立ち上げて器具本体１と補助器具１２との間に身体、特に、背中と腹を入れ、上下に動かす。
【００５５】
器具本体１と指圧具１４とが同時に上下しつつ回転し、背筋と腹筋とを刺激することになる。この場合、身体の両横で紐１３か一部の転圧具１４をそれぞれ手で持って上下動させるが、紐１３の両側に前記すると同じような環状の取っ手（図示せず）を取り付け、この取っ手を持って上下動させてもよい。
【００５６】
紐１３は伸縮性を有するので、身体を器具本体１と補助器具１２との間に入れた時、器具本体１は背中に密着し、多数の指圧具１４は腹部に密着するので上下動させた時、背筋及び腹筋は同時に刺激され、鍛えられることになる。しかも、腕とともに肩を上下動させるので上半身の運動にもなる。
【００５７】
各指圧具１４は回転可能であるから、身体にそって移動させた時に回転するので、肌を擦って痛めることはない。更に、器具本体１と補助器具１２とを上下させる時、腕とともの肩を上下動させるので上半身の運動にもなる。尚、紐１３は、第２の実施形態で示す紐１０と同じ材質のものを使用してもよい。
【００５８】
第３の実施形態では、器具本体１と補助器具１２とを使用しているが、背中と腹側に同じ器具本体１を使用すると全体が重く、取扱いに不便であるが、器具本体１に比べて軽い補助器具１２を使用することで取扱いが容易である利点を有している。尚、器具本体１を腹部にあてがい、多数の指圧具１４を背部にあてがって前後を逆にして使用するようにしてもよい。
【産業上の利用可能性】
【００５９】
本発明健康器具は、手軽な器具本体１や補助器具、１２を使用することで健康維持、健康増進に役立ち、肥満を予防或いは改善して生活習慣病やメタボリック・シンドロームの予防に役立つものである。
【図面の簡単な説明】
【００６０】
【図１】本発明健康器具の第１の実施形態を示す斜視図である。
【図２】本発明健康器具の第１の実施形態を示す中央縦断面図である。
【図３】第１の実施形態に示す健康器具の使用例を示す側面図である。
【図４】器具本体の孔にキャップを取り付ける状態の斜視図である。
【図５】本発明健康器具の第２の実施形態を示す斜視図である。
【図６】第２の実施形態に示す健康器具の使用例を示す側面図である。
【図７】第２の実施形態に示す健康器具の他の使用例を示す側面図である。
【図８】第２の実施形態に示す健康器具の更に他の使用例を示す側面図である。
【図９】本発明健康器具の第３の実施形態を示す斜視図である。
【図１０】第３の実施形態で使用する補助器具の斜視図である。
【図１１】紐の連結部材の斜視図である。
【図１２】第３の実施形態に示す健康器具の使用例を示す側面図である。
【図１３】第３の実施形態に示す健康器具の他の使用例を示す側面図である。
【符号の説明】
【００６１】
１  器具本体
２  芯材
３  指圧部材
４  装飾材
５  孔
６  人
７  差込部
８  キャップ
９  補助器具
１０  紐
１１  取っ手
１２  補助器具
１３  紐
１４  球状の指圧具
１５  連結部材
１６  連結具
１７  爪
１８  連結具
１９  握持部
【図１】
2010022729.tif 000003
【図２】
2010022729.tif 000004
【図３】
2010022729.tif 000005
【図４】
2010022729.tif 000006
【図５】
2010022729.tif 000007
【図６】
2010022729.tif 000008
【図７】
2010022729.tif 000009
【図８】
2010022729.tif 000010
【図９】
2010022729.tif 000011
【図１０】
2010022729.tif 000012
【図１１】
2010022729.tif 000013
【図１２】
2010022729.tif 000014
【図１３】
2010022729.tif 000015
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
硬質性を有し、中央に貫通した孔（５）を有する円筒状芯材（２）を弾性を有する肉厚な指圧部材（３）で同心状に覆い、芯材（２）の端面から指圧部材（３）の表面を装飾材（４）で被覆した筒状体である器具本体（１）と、適度の伸縮性を有する材質からなる丈夫な紐（１０）の両端に、柔軟性を有する環状の取っ手（１１）を一体に設けた補助器具（９）とから成り、補助器具（９）は芯材（２）の貫通した孔（５）内を通し、両側の取っ手（１１）を器具本体（１）の両側に引き出したことを特徴とする健康器具。
【請求項２】
硬質性を有し、中央に貫通した孔（５）を有する円筒状芯材（２）を弾性を有する肉厚な指圧部材（３）で同心状に覆い、芯材（２）の端面から指圧部材（３）の表面を装飾材（４）で被覆した筒状体である器具本体（１）と、適度の伸縮性を有する材質からなる丈夫な紐（１３）に多数の球状の指圧具（１４）を取り付け、紐（１３）の両端は連結部材（１５）を使用して着脱可能とした補助器具（１２）とから成り、紐（１３）の両端は連結部材（１５）で環状に連結して芯材（２）の孔（５）内に位置させるとともに指圧具（１４）は器具本体（１）の外側に位置させたことを特徴とする健康器具。
【手続補正２】
【補正対象書類名】明細書
【補正対象項目名】全文
【補正方法】変更
【補正の内容】
【発明の詳細な説明】
【技術分野】
【０００１】
本発明は健康器具に関し、特に、背筋や腹筋を鍛えて腰痛の発症を予防し、同時に肥満を解消して痩身に役立つとともに生活習慣病を予防し或いは改善することに役立つ扱いに便利な健康器具に関するものである。
【背景技術】
【０００２】
運動不測により背筋力や腹筋力等が低下し、その結果、腰を痛める原因となっていた。また、近年では肥満が原因で血圧や血糖値、コレステロール値が高くなり、生活習慣病の予備軍或いは患者が増えてきている。
【０００３】
特に、メタボリック・シンドローム（内臓脂肪症候群）では、男性の胴囲は８５ｃｍ以上、女性の場合は９０ｃｍ以上を基準にしてこれに高血圧、高血糖、脂質代謝等が１つ該当するとメタボリック予備軍といわれ、二つ以上が該当するとメタボリックの可能性が強く疑われるようになっており、身体を鍛えることが要求されている。
【０００４】
健康維持、健康増進のためには適度の運動が必要であり、種々の運動器具が提供されているが、自宅に設置するには大掛かりであって場所を必要とし、設備費用が高価なものである。手軽な健康器具としては特許文献１に示す特願２００４−３０５２３２により公開された腰痛を治すための発明がある。
【０００５】
この健康器具１は、剛性を有する材料で形成された円筒パイプ状をしている。使用に際しては、健康器具１を床３に転がし、その上に人６が背中または腰を載せて仰向けに寝ころがる。この仰向けの状態で健康器具１を転がしながら往復動し、背中や腰を伸ばすものである。
【０００６】
また、腰痛を治す健康器具として特許文献２に示す特願２００４−２６１４０５として提供された発明がある。この健康器具１は、剛性を有する円柱状の回転体２と、回転体２を回転可能に支持する支持体３とからなり、回転体２の全面は弾性を有するゴム製シート８を取り付け、シート８の全面には指圧用突起９を複数形成したものである。
【０００７】
使用に際しては、健康器具１を床に設置し、回転体２上に人３２が背中や腰を載せて仰向けに寝ころがる。この状態で回転体２を回転させながら往復動し、背中や腰を伸ばすととともに指圧用突起９で指圧を行うものである。
【０００８】
また、実用新案登録第３０８７００２号として按摩ロール装置が提供されている。このロール装置は、所定の長さの硬質筒体１１の外表面に軟質筒体１２をスリーブし、外軟内硬のロール構造１０を形成したものである。
【０００９】
使用に際しては、ロール構造１０を平面に配置し、背部をロール構造１０に臥圧し、ロール構造１０を回転させる。身体の重量により背部が軟質筒体１２を介し柔軟性のロール按摩の効果が形成され、身体のストレッチ効果が得られ、血液循環を促進できる効果が開示されている。
【特許文献１】特願２００４−３０５２３２公報
【特許文献２】特願２００４−２６１４０５公報
【特許文献３】実用新案登録第３０８７００２号公報
【発明の開示】
【発明が解決しようとする課題】
【００１０】
特許文献１の健康器具１は、剛性を有する円筒パイプ状であり、背中や腰を載せた場合、体重が重い者では健康器具１としての剛性材の刺激が強く、長い間での使用では背中が痛くなり、背筋強化の効果は得られないものである。
【００１１】
特許文献２で示される回転体では全周面に指圧用突起が形成されているが、突起が硬いものであれば背中が痛くなり、長い時間は使用できない。逆に、突起が柔らかい場合には、背中を載せることで突起が潰れてしまい、指圧効果は期待できないものである。
身体の大きさや体重による個人差があり、突起の有効性は期待できないものである。
【００１２】
特許文献３に示すロール装置では、硬質筒体１１の表面に取り付けられる軟質筒体１２に体重が加わるが、筒体１１が大径であるために全体の直径の関係で筒体１２の厚さは薄くなるものであり、体重によっては筒体１１の背中に加わる圧力が強くなり、個人差によって得られる効果が異なるものである。
【００１３】
上記する先行技術として開示された技術は、特許文献１の円筒パイプ状の健康器具、特許文献２の支持台上に回転可能に設置した回転体或いは特許文献３の外軟内硬のロール構造の上に背中を載せるものである。いずれの場合でも仰向けに寝て身体を往復動させることで健康器具や回転体、ロール構造を回転させ、背中に刺激を与えるものである。
【００１４】
総じて、各先行技術文献に記載される発明は、単に背中を刺激するのみであるので、背部の筋肉を鍛えることはできても、腹筋を鍛える効果は期待できないものである。しかも、健康器具や回転体、ロール構造は背中の刺激のみであり、腹部には応用できないものであるため、利用範囲は非常に狭いものである。
【００１５】
しかも、健康器具や回転体、ロール構造の上に背中を載せ、身体の往復動によってこれらを回転させるものであるが、常に身体と平行に回転するものではなく、斜めに位置ずれを生ずることがある。その都度、身体に合わせて健康器具や回転体、ロール構造をセットする必要があり、面倒なものであった。
【００１６】
本発明は、上記する従来の先行技術に鑑み、長時間使用しても身体に痛みがなく、背筋の他に腹筋も鍛えることができ、全身運動に役立ち、活用範囲が広く、健康維持及び健康増進に効果が得られ、痩身を図ることができる簡易な健康器具を提供することを目的とするものである。
【課題を解決するための手段】
【００１７】
上記の目的を達成するため本発明健康器具は、硬質性を有し、中央に貫通した孔を有する円筒状芯材を弾性を有する肉厚な指圧部材で同心状に覆い、芯材の端面から指圧部材の表面を装飾材で被覆した筒状体である器具本体と、適度の伸縮性を有する材質からなる丈夫な紐の両端に、柔軟性を有する環状の取っ手を一体に設けた補助器具とから成り、補助器具は心材の貫通した孔内を通し、両側の取っ手を器具本体の両側に引き出したものである。
【００１８】
また、本発明健康器具は、硬質性を有し、中央に貫通した孔を有する円筒状芯材を弾性を有する肉厚な指圧部材で同心状に覆い、芯材の端面から指圧部材の表面を装飾材で被覆した筒状体である器具本体と、適度の伸縮性を有する材質からなる丈夫な紐に多数の球状の指圧具を取り付け、紐の両端は連結部材を使用して着脱可能とした補助器具とから成り、紐１３の両端は連結部材１５で環状に連結して芯材２の孔５内に位置させるとともに指圧具１４は器具本体１の外側に位置させたものである。
【発明の効果】
【００１９】
本発明になる健康器具に使用する器具本体１はその上に仰向けに寝て、身体を前後に動かすことで器具本体１を回転させ、人６の背中の筋肉を刺激するので、筋肉強化に役立って腰痛を予防し、前後運動をすることで心身爽快となり、痩身効果が得られるものである。
【００２０】
器具本体１を形成する指圧部材３は、円筒体全体として大きな厚さを有しており、かつ、背中に対して適度の弾性作用を有し、背筋を適度に刺激して強化に役立つものであり、人によって体重を異にしても、特に、体重の重い者でも長い時間の刺激に耐えることができる。
【００２１】
上記する器具本体１と、両端に取っ手１１を有する紐１０からなる補助器具９を使用することで、身体と器具本体１との位置ずれを起こすことなく背中を刺激することができ、器具本体１を腹の上に載せることで筋肉を刺激して強化することができ、また、器具本体１に足をかけ紐１０を持つことで屈伸運動が可能であるから、背筋と腹筋を同時に強化するとともに全身運動に役立つものである。
【００２２】
芯材２は硬質性を有するので器具本体１上に身体を載せても全体がつぶれることはなく、器具本体１の芯材２からなる孔５内にはタオルや柔軟性を有する補助器具９を入れることができ、両方の孔５をキャップ８で塞ぐことにより品物をを収容することができ、整理に便利であり、取扱いや持ち運びに容易である。
【００２３】
紐１３に多数の指圧具１４を設け、紐１３の両端を着脱可能とした補助器具１２と器具本体１とを使用し、器具本体１と補助器具１２との間に身体を挟んで器具本体１と補助器具１２とを同時に上下動させれば背筋と腹筋との同時強化が可能であり、しかも、補助器具１２の大きさや重さが手ごろであるから取扱いやすいものである。
【００２４】
本発明に健康器具を日常使用することで筋肉を強化して健康増進に役立ち、肥満を解消し、メタボリック・シンドロームの解消に役立つものである。
【００２５】
本発明において使用する器具本体１の全長は約４０〜４５ｃｍ、直径は約１７ｃｍ、芯材２の外径を７ｃｍ、指圧部材３の厚さを５ｃｍの大きさとして出願人自身が約三ヶ月間、一日に５分実験した結果、体重が約４キロ軽くなり、また胴回りが約５ｃｍ細くなって引き締まり、身体が動きやすく、便通がよくなった。
【発明を実施するための最良の形態】
【００２６】
以下、図面に従って本発明の最良の実施形態を説明する。
図１、図２は本発明健康器具に使用する器具本体１を示し、金属、プラスチックのような硬質性を有する材質からなる円筒状の芯材２の表面をゴムやウレタンフォーム等の適度の弾力性を有する材質からなる肉厚な指圧部材３で同心状に覆ったものである。
【００２７】
そして、芯材２の両端面から指圧部材３の全表面を合成繊維や合成皮革等の装飾材４により、例えば、接着剤を使用して被覆し、芯材１で形成した中央の貫通する孔５は密閉可能な収容可能として利用でき、全体として肉厚な筒状体である。
【００２８】
大きさとしては全長が約４０〜４５ｃｍ、円筒体全体の直径が約１７ｃｍ、芯材２の外径が約７ｃｍ、芯材２の厚さは約５ｍｍ、芯材２の周りに環状に巻いた指圧部材３の厚さは約５ｃｍ位が取扱いやすく、持ち運びに便利であるが、この大きさに限定するものではない。
【００２９】
上記の器具本体１はそれ自体を室内において床の上に横長にして置き、図３に示すように、人６が仰向きに寝て器具本体１上に背中を載せる。この状態で器具本体１を転がすように身体を前後に動かせば、器具本体１は身体の下で肩に近い部分から腰の辺りまでの背中全面を回転しつつ移動して指圧部材３の弾性作用が背中を刺激することになる。
【００３０】
この運動を数分から数十分繰り返し行うことで体重が器具本体１上に載って背中側の筋肉を刺激し、鍛えることになる。同時に、前後への運動をすることで全身の運動となり、腹筋を鍛えることになり、腰痛を防止するものである。また、運動によって肥満を防止或いは解消し、痩身に役立つものである。
【００３１】
前記の指圧部材３は、円筒体の半径方向に体重が加わった時の圧縮力に対して反発する弾性力を有しており、かつ、円筒体全体で比較すると肉厚に形成してあるので、体重に軽重の差がある場合でも筋肉を刺激することができ、筋肉強化に役立つものである。
【００３２】
背中は適度の弾性を有する指圧部材３上に載るので痛さを感じることはなく、長時間の指圧作用に耐えることができる。しかも、指圧部材３は弾性を有するので、体重による個人差がある場合でも充分に対応することができる。尚、使用に際しては両ひざを延ばさずに上方へ曲げておくと腰を痛めることがなく、前後に移動しやすいものである。
【００３３】
前記の器具本体１に使用する芯材２は、常態では指圧部材１に加わる体重を支えるものであるが、芯材２の孔５は他の物を収容する空間として使用できる。例えば、健康器具を使用して汗をかいた場合にはタオルが必要であるが、タオルをこの孔内に入れておけば必要に応じて取り出して使用でき便利である。
【００３４】
しかし、単に入れておくだけでは、器具本体１が回転を続ける時にタオルが孔５から飛び出し汚れる恐れがある。そのため、図４に示すように、孔５内に嵌め込むことのできる差込部７を有するプラスチックのような板状のキャップ８を用意し、孔５内にタオル（図示せず）を収容し、孔５の両側面にキャップ８の差込部７を嵌め込み、孔５を密閉すればよい。
【００３５】
孔５内にタオルその他運動に際して使用する品物を収容し、孔５をキャップ８で密閉しても器具本体１自体は単独で初期の目的に使用することが可能であり、キャップ８自体は板状であるからその存在が邪魔になるものではない。尚、キャップ８は一例を示すものであり、孔５を塞いで品物の飛び出しを防止できれば他の形状や構造のキャップでもよい。
【００３６】
図５は、上記に説明した器具本体１を使用した本発明健康器具の第１の実施形態を示し、前記と同じ部分は同じ符号を使用している。この実施形態においては器具本体１に第１の補助器具９を設けたことに特徴を有している。この補助器具９は、適度の伸縮性を有するゴムのような材質からなる丈夫な紐１０の両端に、柔軟性を有する環状或いは三角状の取っ手１１を一体に設けたものである。
【００３７】
紐１０は、一方の取っ手１１を前記する芯材２の中央の孔５に片側から挿入して反対側に引き出し、両方の取っ手１１を器具本体１の両側に引き出しておく。このようにして器具本体１と補助器具９を一体化させた後、前記実施形態と同じく床上に定置した器具本体１上に人６の背中を載せ、図６に示すように、紐１０両端の取っ手１１を両方の手で持って上方に持ち上げるか、紐１０を両横へ水平に延ばした状態とする。
【００３８】
この状態で身体を前後方向に動かして器具本体１を回転させれば、紐１０があることで器具本体１と背中とが位置ずれを起こすことがなく、安定した状態で背中全体を刺激し、背筋を強化することができる。紐１０は伸縮性を有するので、手の長さが異なるような場合の身体の大きさに対応することができる。
【００３９】
図７は、第１の実施形態に示す健康器具の他の使用例を示すものである。人６が身体を仰向けに寝た状態で器具本体１を腹の上に載せ、身体の両側へ水平に延ばした紐１０の両側の取っ手１１を持って器具本体１を身体にそって前後に回転移動させれば指圧部材３の弾性力が腹の筋肉を刺激し、腹筋の強化に役立たせることができる。この時、器具本体１を腹に圧迫させるように紐１０で下方向への力を加えればよい。
【００４０】
図８は、更に、第１の実施形態に示す健康器具の他の使用例を示すものである。まず、お尻を床に置き、両足のひざを上に曲げた状態で足裏を器具本体１の側面にかけて紐１０の両取っ手１１を持ち、例えば、仰向けの状態から上半身を起立させる。
【００４１】
このように実線の仰向けに寝ている状態と鎖線の垂直に起立するという上半身の屈伸運動を数分から数十分繰り返し行うことで、腹筋や背筋を同時に鍛えることができ、腰痛を予防し、肥満の防止或いは改善に役立つものである。
【００４２】
紐１０は丈夫であり、かつ、適度の伸縮性を有するので、仰向けの状態から上半身を起こす時には紐１０は縮み、逆に起立している状態から仰向けになる時には紐１０は伸びるので、紐１０は屈伸運動に際し補助的作用をすることになり、無理なく運動を行うことができる。また、補助器具９は取り外すことで第１実施形態に示すように器具本体１だけを使用することができる。
【００４３】
尚、タオルに代え或いはタオルとともに孔５内に補助器具９を全て収容し、図４と同じく孔５の両側面にキャップ８の差込部７を嵌め込み密閉することで器具本体１自体を初期の目的に使用することが可能である。孔５内に入れることで補助器具９の整理ができ、補助器具９を再度使用する時に便利である。
【００４４】
図９は、上記に説明した器具本体１を使用した本発明健康器具の第２の実施形態を示し、前記の実施形態と同じ部分は同じ符号を使用している。この実施形態においては、前記する器具本体１に第２の補助器具１２を設けたことに特徴を有している。
【００４５】
この実施形態において使用する補助器具１２は、図１０に示すように、適度の伸縮性を有するゴムのような材質からなる丈夫な紐１３に多数の球状の指圧具１４を遊嵌して取り付け、紐１３の両端は連結部材１５を使用して着脱可能としたものである。尚、指圧具１４は、丸い球であってもよく、或いは図示のように紐１３にそった横長な形状でもよく、硬質のプラスチックや木からなっている。
【００４６】
連結部材１５としては公知のものを使用することができる。即ち、図１１に示すように、一方の連結具１６は、後端を外方向に拡開する弾性作用を有する２本の爪１７を有し、他方の連結具１８は、２本の爪１７を挟み込んで掴むことのできる２本の握持部１９を有している。
【００４７】
従って、連結具１６を連結具１８内に挿し込めば爪１７は握持部１９内に入り、両側から掴まれて抜けることはない。両連結具１６、１８を開放する時には両側の握持部１９を内側に押すだけで爪１７を掴む力が外れ、連結具１６を連結具１８から抜き取ることができる。この連結部材１５は一例を示すものであり、紐１３の両端を着脱可能に連結するものであれば他の構造の連結部材でもよい。
【００４８】
使用に際しては連結部材１５を外し、一方の連結具、例えば、連結具１６を前記芯材２の孔５の片側に挿し入れて孔５の反対側から引き出し、両連結具１６、１８を前記のように連結し、紐１３を環状に一本化する。そして、連結部材１５を中心にした紐１３の部分を芯材２の孔５内に収容した状態とし、多数の指圧具１４は器具本体１の片側の外側面に位置させる。
【００４９】
この状態で器具本体１を床の上に置き、図１２に示すように、器具本体１と補助器具１２との間に身体を入れ、背中は器具本体１の上に載せ、補助器具１２は腹の上に載せる。  前記と同じようにして身体を前後方向に動かして器具本体１を回転させれば、同時に多数の指圧具１４が腹の上を転がるようにして器具本体１と同じ方向に動くことになる。従って、背筋と同時に腹筋を鍛えることになる。
【００５０】
紐１３は伸縮性を有しており、常態では器具本体１と補助器具１２との間隔は狭くなっている。上記のようにして器具本体１と補助器具１２との間に身体を入れた時、身体は器具本体１と補助器具１２との間に圧迫されたようになり、筋肉に対する刺激力は強いものである。特に、補助器具１２で身体は締付けられた状態となるので背中と器具本体１との位置ずれを生ずることはない。
【００５１】
特に、太っている人６のお腹は丸く出っ張っている場合が多いが、紐１３がお腹の出っ張りにそって多数の指圧具１４を押し付けることになり、更に、各指圧具１４は点圧接するので、指圧効果は大きく、腹筋の刺激は大きいものである。
【００５２】
図１３は、第２の実施形態で示す器具本体１とこれに取り付けた補助器具１２との他の使用例を示すものである。お尻を床或いは椅子の上に載せて上半身を起立させるか、全身を立ち上げて器具本体１と補助器具１２との間に身体、特に、背中と腹を入れ、上下に動かす。
【００５３】
器具本体１と指圧具１４とが同時に上下しつつ回転し、背筋と腹筋とを刺激することになる。この場合、身体の両横で紐１３か一部の転圧具１４をそれぞれ手で持って上下動させるが、紐１３の両側に前記すると同じような環状の取っ手（図示せず）を取り付け、この取っ手を持って上下動させてもよい。
【００５４】
紐１３は伸縮性を有するので、身体を器具本体１と補助器具１２との間に入れた時、器具本体１は背中に密着し、多数の指圧具１４は腹部に密着するので上下動させた時、背筋及び腹筋は同時に刺激され、鍛えられることになる。しかも、腕とともに肩を上下動させるので上半身の運動にもなる。
【００５５】
各指圧具１４は回転可能であるから、身体にそって移動させた時に回転するので、肌を擦って痛めることはない。更に、器具本体１と補助器具１２とを上下させる時、腕とともの肩を上下動させるので上半身の運動にもなる。尚、紐１３は、第１の実施形態で示す紐１０と同じ材質のものを使用してもよい。
【００５６】
第２の実施形態では、器具本体１と補助器具１２とを使用しているが、背中と腹側に同じ器具本体１を使用すると全体が重く、取扱いに不便であるが、器具本体１に比べて軽い補助器具１２を使用することで取扱いが容易である利点を有している。尚、器具本体１を腹部にあてがい、多数の指圧具１４を背部にあてがって前後を逆にして使用するようにしてもよい。
【産業上の利用可能性】
【００５７】
本発明健康器具は、手軽な器具本体１や補助器具、１２を使用することで健康維持、健康増進に役立ち、肥満を予防或いは改善して生活習慣病やメタボリック・シンドロームの予防に役立つものである。
【図面の簡単な説明】
【００５８】
【図１】本発明健康器具に使用する器具本体の斜視図である。
【図２】本発明健康器具に使用する器具本体の中央縦断面図である。
【図３】本発明健康器具に使用する器具本体の使用例を示す側面図である。
【図４】器具本体の孔にキャップを取り付ける状態の斜視図である。
【図５】本発明健康器具の第１の実施形態を示す斜視図である。
【図６】第１の実施形態に示す健康器具の使用例を示す側面図である。
【図７】第１の実施形態に示す健康器具の他の使用例を示す側面図である。
【図８】第１の実施形態に示す健康器具の更に他の使用例を示す側面図である。
【図９】本発明健康器具の第２の実施形態を示す斜視図である。
【図１０】第２の実施形態で使用する補助器具の斜視図である。
【図１１】第２の実施形態で使用する紐の連結部材の斜視図である。
【図１２】第２の実施形態に示す健康器具の使用例を示す側面図である。
【図１３】第２の実施形態に示す健康器具の他の使用例を示す側面図である。
【符号の説明】
【００５９】
１  器具本体
２  芯材
３  指圧部材
４  装飾材
５  孔
６  人
７  差込部
８  キャップ
９  補助器具
１０  紐
１１  取っ手
１２  補助器具
１３  紐
１４  球状の指圧具
１５  連結部材
１６  連結具
１７  爪
１８  連結具
１９  握持部
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
硬質性を有し、中央に貫通した孔（５）を有する円筒状芯材（２）を弾性を有する肉厚な指圧部材（３）で同心状に覆い、芯材（２）の端面から指圧部材（３）の表面を装飾材（４）で被覆した筒状体である器具本体（１）と、適度の伸縮性を有する材質からなる丈夫な紐（１３）に多数の球状の指圧具（１４）を取り付け、紐（１３）の両端は連結部材（１５）を使用して着脱可能とした補助器具（１２）とから成り、紐（１３）の両端は連結部材（１５）で環状に連結して芯材（２）の孔（５）内に位置させるとともに指圧具（１４）は器具本体（１）の外側に位置させたことを特徴とする健康器具。
【手続補正２】
【補正対象書類名】明細書
【補正対象項目名】全文
【補正方法】変更
【補正の内容】
【発明の詳細な説明】
【技術分野】
【０００１】
本発明は健康器具に関し、特に、背筋や腹筋を鍛えて腰痛の発症を予防し、同時に肥満を解消して痩身に役立つとともに生活習慣病を予防し或いは改善することに役立つ扱いに便利な健康器具に関するものである。
【背景技術】
【０００２】
運動不測により背筋力や腹筋力等が低下し、その結果、腰を痛める原因となっていた。また、近年では肥満が原因で血圧や血糖値、コレステロール値が高くなり、生活習慣病の予備軍或いは患者が増えてきている。
【０００３】
特に、メタボリック・シンドローム（内臓脂肪症候群）では、男性の胴囲は８５ｃｍ以上、女性の場合は９０ｃｍ以上を基準にしてこれに高血圧、高血糖、脂質代謝等が１つ該当するとメタボリック予備軍といわれ、二つ以上が該当するとメタボリックの可能性が強く疑われるようになっており、身体を鍛えることが要求されている。
【０００４】
健康維持、健康増進のためには適度の運動が必要であり、種々の運動器具が提供されているが、自宅に設置するには大掛かりであって場所を必要とし、設備費用が高価なものである。手軽な健康器具としては特許文献１に示す特願２００４−３０５２３２により公開された腰痛を治すための発明がある。
【０００５】
この健康器具１は、剛性を有する材料で形成された円筒パイプ状をしている。使用に際しては、健康器具１を床３に転がし、その上に人６が背中または腰を載せて仰向けに寝ころがる。この仰向けの状態で健康器具１を転がしながら往復動し、背中や腰を伸ばすものである。
【０００６】
また、腰痛を治す健康器具として特許文献２に示す特願２００４−２６１４０５として提供された発明がある。この健康器具１は、剛性を有する円柱状の回転体２と、回転体２を回転可能に支持する支持体３とからなり、回転体２の全面は弾性を有するゴム製シート８を取り付け、シート８の全面には指圧用突起９を複数形成したものである。
【０００７】
使用に際しては、健康器具１を床に設置し、回転体２上に人３２が背中や腰を載せて仰向けに寝ころがる。この状態で回転体２を回転させながら往復動し、背中や腰を伸ばすととともに指圧用突起９で指圧を行うものである。
【０００８】
また、実用新案登録第３０８７００２号として按摩ロール装置が提供されている。このロール装置は、所定の長さの硬質筒体１１の外表面に軟質筒体１２をスリーブし、外軟内硬のロール構造１０を形成したものである。
【０００９】
使用に際しては、ロール構造１０を平面に配置し、背部をロール構造１０に臥圧し、ロール構造１０を回転させる。身体の重量により背部が軟質筒体１２を介し柔軟性のロール按摩の効果が形成され、身体のストレッチ効果が得られ、血液循環を促進できる効果が開示されている。
【特許文献１】特願２００４−３０５２３２公報
【特許文献２】特願２００４−２６１４０５公報
【特許文献３】実用新案登録第３０８７００２号公報
【発明の開示】
【発明が解決しようとする課題】
【００１０】
特許文献１の健康器具１は、剛性を有する円筒パイプ状であり、背中や腰を載せた場合、体重が重い者では健康器具１としての剛性材の刺激が強く、長い間での使用では背中が痛くなり、背筋強化の効果は得られないものである。
【００１１】
特許文献２で示される回転体では全周面に指圧用突起が形成されているが、突起が硬いものであれば背中が痛くなり、長い時間は使用できない。逆に、突起が柔らかい場合には、背中を載せることで突起が潰れてしまい、指圧効果は期待できないものである。
身体の大きさや体重による個人差があり、突起の有効性は期待できないものである。
【００１２】
特許文献３に示すロール装置では、硬質筒体１１の表面に取り付けられる軟質筒体１２に体重が加わるが、筒体１１が大径であるために全体の直径の関係で筒体１２の厚さは薄くなるものであり、体重によっては筒体１１の背中に加わる圧力が強くなり、個人差によって得られる効果が異なるものである。
【００１３】
上記する先行技術として開示された技術は、特許文献１の円筒パイプ状の健康器具、特許文献２の支持台上に回転可能に設置した回転体或いは特許文献３の外軟内硬のロール構造の上に背中を載せるものである。いずれの場合でも仰向けに寝て身体を往復動させることで健康器具や回転体、ロール構造を回転させ、背中に刺激を与えるものである。
【００１４】
総じて、各先行技術文献に記載される発明は、単に背中を刺激するのみであるので、背部の筋肉を鍛えることはできても、腹筋を鍛える効果は期待できないものである。しかも、健康器具や回転体、ロール構造は背中の刺激のみであり、腹部には応用できないものであるため、利用範囲は非常に狭いものである。
【００１５】
しかも、健康器具や回転体、ロール構造の上に背中を載せ、身体の往復動によってこれらを回転させるものであるが、常に身体と平行に回転するものではなく、斜めに位置ずれを生ずることがある。その都度、身体に合わせて健康器具や回転体、ロール構造をセットする必要があり、面倒なものであった。
【００１６】
本発明は、上記する従来の先行技術に鑑み、長時間使用しても身体に痛みがなく、背筋の他に腹筋も鍛えることができ、全身運動に役立ち、活用範囲が広く、健康維持及び健康増進に効果が得られ、痩身を図ることができる簡易な健康器具を提供することを目的とするものである。
【課題を解決するための手段】
【００１７】
上記の目的を達成するため本発明健康器具は、硬質性を有し、中央に貫通した孔を有する円筒状芯材を弾性を有する肉厚な指圧部材で同心状に覆い、芯材の端面から指圧部材の表面を装飾材で被覆した筒状体である器具本体と、適度の伸縮性を有する材質からなる丈夫な紐に多数の球状の指圧具を取り付け、紐の両端は連結部材を使用して着脱可能とした補助器具とから成り、紐１３の両端は連結部材１５で環状に連結して芯材２の孔５内に位置させるとともに指圧具１４は器具本体１の外側に位置させたものである。
【発明の効果】
【００１８】
本発明になる健康器具に使用する器具本体１はその上に仰向けに寝て、身体を前後に動かすことで器具本体１を回転させ、人６の背中の筋肉を刺激するので、筋肉強化に役立って腰痛を予防し、前後運動をすることで心身爽快となり、痩身効果が得られるものである。
【００１９】
器具本体１を形成する指圧部材３は、円筒体全体として大きな厚さを有しており、かつ、背中に対して適度の弾性作用を有し、背筋を適度に刺激して強化に役立つものであり、人によって体重を異にしても、特に、体重の重い者でも長い時間の刺激に耐えることができる。
【００２０】
上記する器具本体１と、両端に取っ手１１を有する紐１０からなる補助器具９を使用することで、身体と器具本体１との位置ずれを起こすことなく背中を刺激することができ、器具本体１を腹の上に載せることで筋肉を刺激して強化することができ、また、器具本体１に足をかけ紐１０を持つことで屈伸運動が可能であるから、背筋と腹筋を同時に強化するとともに全身運動に役立つものである。
【００２１】
芯材２は硬質性を有するので器具本体１上に身体を載せても全体がつぶれることはなく、器具本体１の芯材２からなる孔５内にはタオルや柔軟性を有する補助器具９を入れることができ、両方の孔５をキャップ８で塞ぐことにより品物をを収容することができ、整理に便利であり、取扱いや持ち運びに容易である。
【００２２】
紐１３に多数の指圧具１４を設け、紐１３の両端を着脱可能とした補助器具１２と器具本体１とを使用し、器具本体１と補助器具１２との間に身体を挟んで器具本体１と補助器具１２とを同時に上下動させれば背筋と腹筋との同時強化が可能であり、しかも、補助器具１２の大きさや重さが手ごろであるから取扱いやすいものである。
【００２３】
本発明に健康器具を日常使用することで筋肉を強化して健康増進に役立ち、肥満を解消し、メタボリック・シンドロームの解消に役立つものである。
【００２４】
本発明において使用する器具本体１の全長は約４０〜４５ｃｍ、直径は約１７ｃｍ、芯材２の外径を７ｃｍ、指圧部材３の厚さを５ｃｍの大きさとして出願人自身が約三ヶ月間、一日に５分実験した結果、体重が約４キロ軽くなり、また胴回りが約５ｃｍ細くなって引き締まり、身体が動きやすく、便通がよくなった。
【発明を実施するための最良の形態】
【００２５】
以下、図面に従って本発明の最良の実施形態を説明する。
図１、図２は本発明健康器具に使用する器具本体１を示し、金属、プラスチックのような硬質性を有する材質からなる円筒状の芯材２の表面をゴムやウレタンフォーム等の適度の弾力性を有する材質からなる肉厚な指圧部材３で同心状に覆ったものである。
【００２６】
そして、芯材２の両端面から指圧部材３の全表面を合成繊維や合成皮革等の装飾材４により、例えば、接着剤を使用して被覆し、芯材１で形成した中央の貫通する孔５は密閉可能な収容可能として利用でき、全体として肉厚な筒状体である。
【００２７】
大きさとしては全長が約４０〜４５ｃｍ、円筒体全体の直径が約１７ｃｍ、芯材２の外径が約７ｃｍ、芯材２の厚さは約５ｍｍ、芯材２の周りに環状に巻いた指圧部材３の厚さは約５ｃｍ位が取扱いやすく、持ち運びに便利であるが、この大きさに限定するものではない。
【００２８】
上記の器具本体１はそれ自体を室内において床の上に横長にして置き、図３に示すように、人６が仰向きに寝て器具本体１上に背中を載せる。この状態で器具本体１を転がすように身体を前後に動かせば、器具本体１は身体の下で肩に近い部分から腰の辺りまでの背中全面を回転しつつ移動して指圧部材３の弾性作用が背中を刺激することになる。
【００２９】
この運動を数分から数十分繰り返し行うことで体重が器具本体１上に載って背中側の筋肉を刺激し、鍛えることになる。同時に、前後への運動をすることで全身の運動となり、腹筋を鍛えることになり、腰痛を防止するものである。また、運動によって肥満を防止或いは解消し、痩身に役立つものである。
【００３０】
前記の指圧部材３は、円筒体の半径方向に体重が加わった時の圧縮力に対して反発する弾性力を有しており、かつ、円筒体全体で比較すると肉厚に形成してあるので、体重に軽重の差がある場合でも筋肉を刺激することができ、筋肉強化に役立つものである。
【００３１】
背中は適度の弾性を有する指圧部材３上に載るので痛さを感じることはなく、長時間の指圧作用に耐えることができる。しかも、指圧部材３は弾性を有するので、体重による個人差がある場合でも充分に対応することができる。尚、使用に際しては両ひざを延ばさずに上方へ曲げておくと腰を痛めることがなく、前後に移動しやすいものである。
【００３２】
前記の器具本体１に使用する芯材２は、常態では指圧部材１に加わる体重を支えるものであるが、芯材２の孔５は他の物を収容する空間として使用できる。例えば、健康器具を使用して汗をかいた場合にはタオルが必要であるが、タオルをこの孔内に入れておけば必要に応じて取り出して使用でき便利である。
【００３３】
しかし、単に入れておくだけでは、器具本体１が回転を続ける時にタオルが孔５から飛び出し汚れる恐れがある。そのため、図４に示すように、孔５内に嵌め込むことのできる差込部７を有するプラスチックのような板状のキャップ８を用意し、孔５内にタオル（図示せず）を収容し、孔５の両側面にキャップ８の差込部７を嵌め込み、孔５を密閉すればよい。
【００３４】
孔５内にタオルその他運動に際して使用する品物を収容し、孔５をキャップ８で密閉しても器具本体１自体は単独で初期の目的に使用することが可能であり、キャップ８自体は板状であるからその存在が邪魔になるものではない。尚、キャップ８は一例を示すものであり、孔５を塞いで品物の飛び出しを防止できれば他の形状や構造のキャップでもよい。
【００３５】
図５は、上記に説明した器具本体１に第１の補助器具９を設けたものである。この補助器具９は、適度の伸縮性を有するゴムのような材質からなる丈夫な紐１０の両端に、柔軟性を有する環状或いは三角状の取っ手１１を一体に設けたものである。
【００３６】
紐１０は、一方の取っ手１１を前記する芯材２の中央の孔５に片側から挿入して反対側に引き出し、両方の取っ手１１を器具本体１の両側に引き出しておく。このようにして器具本体１と補助器具９を一体化させた後、前記実施形態と同じく床上に定置した器具本体１上に人６の背中を載せ、図６に示すように、紐１０両端の取っ手１１を両方の手で持って上方に持ち上げるか、紐１０を両横へ水平に延ばした状態とする。
【００３７】
この状態で身体を前後方向に動かして器具本体１を回転させれば、紐１０があることで器具本体１と背中とが位置ずれを起こすことがなく、安定した状態で背中全体を刺激し、背筋を強化することができる。紐１０は伸縮性を有するので、手の長さが異なるような場合の身体の大きさに対応することができる。
【００３８】
図７は、器具本体１に第１の補助器具９を設けた健康器具の他の使用例を示すものである。人６が身体を仰向けに寝た状態で器具本体１を腹の上に載せ、身体の両側へ水平に延ばした紐１０の両側の取っ手１１を持って器具本体１を身体にそって前後に回転移動させれば指圧部材３の弾性力が腹の筋肉を刺激し、腹筋の強化に役立たせることができる。この時、器具本体１を腹に圧迫させるように紐１０で下方向への力を加えればよい。
【００３９】
図８は、器具本体１に第１の補助器具９を設けた健康器具の更に他の使用例を示すものである。まず、お尻を床に置き、両足のひざを上に曲げた状態で足裏を器具本体１の側面にかけて紐１０の両取っ手１１を持ち、例えば、仰向けの状態から上半身を起立させる。
【００４０】
このように実線の仰向けに寝ている状態と鎖線の垂直に起立するという上半身の屈伸運動を数分から数十分繰り返し行うことで、腹筋や背筋を同時に鍛えることができ、腰痛を予防し、肥満の防止或いは改善に役立つものである。
【００４１】
紐１０は丈夫であり、かつ、適度の伸縮性を有するので、仰向けの状態から上半身を起こす時には紐１０は縮み、逆に起立している状態から仰向けになる時には紐１０は伸びるので、紐１０は屈伸運動に際し補助的作用をすることになり、無理なく運動を行うことができる。また、補助器具９は取り外すことで第１実施形態に示すように器具本体１だけを使用することができる。
【００４２】
尚、タオルに代え或いはタオルとともに孔５内に補助器具９を全て収容し、図４と同じく孔５の両側面にキャップ８の差込部７を嵌め込み密閉することで器具本体１自体を初期の目的に使用することが可能である。孔５内に入れることで補助器具９の整理ができ、補助器具９を再度使用する時に便利である。
【００４３】
図９は、上記に説明した器具本体１を使用した本発明健康器具の実施形態を示し、前記と同じ部分は同じ符号を使用している。この実施形態においては、前記する器具本体１に第２の補助器具１２を設けたことに特徴を有している。
【００４４】
この実施形態において使用する補助器具１２は、図１０に示すように、適度の伸縮性を有するゴムのような材質からなる丈夫な紐１３に多数の球状の指圧具１４を遊嵌して取り付け、紐１３の両端は連結部材１５を使用して着脱可能としたものである。尚、指圧具１４は、丸い球であってもよく、或いは図示のように紐１３にそった横長な形状でもよく、硬質のプラスチックや木からなっている。
【００４５】
連結部材１５としては公知のものを使用することができる。即ち、図１１に示すように、一方の連結具１６は、後端を外方向に拡開する弾性作用を有する２本の爪１７を有し、他方の連結具１８は、２本の爪１７を挟み込んで掴むことのできる２本の握持部１９を有している。
【００４６】
従って、連結具１６を連結具１８内に挿し込めば爪１７は握持部１９内に入り、両側から掴まれて抜けることはない。両連結具１６、１８を開放する時には両側の握持部１９を内側に押すだけで爪１７を掴む力が外れ、連結具１６を連結具１８から抜き取ることができる。この連結部材１５は一例を示すものであり、紐１３の両端を着脱可能に連結するものであれば他の構造の連結部材でもよい。
【００４７】
使用に際しては連結部材１５を外し、一方の連結具、例えば、連結具１６を前記芯材２の孔５の片側に挿し入れて孔５の反対側から引き出し、両連結具１６、１８を前記のように連結し、紐１３を環状に一本化する。そして、連結部材１５を中心にした紐１３の部分を芯材２の孔５内に収容した状態とし、多数の指圧具１４は器具本体１の片側の外側面に位置させる。
【００４８】
この状態で器具本体１を床の上に置き、図１２に示すように、器具本体１と補助器具１２との間に身体を入れ、背中は器具本体１の上に載せ、補助器具１２は腹の上に載せる。  前記と同じようにして身体を前後方向に動かして器具本体１を回転させれば、同時に多数の指圧具１４が腹の上を転がるようにして器具本体１と同じ方向に動くことになる。従って、背筋と同時に腹筋を鍛えることになる。
【００４９】
紐１３は伸縮性を有しており、常態では器具本体１と補助器具１２との間隔は狭くなっている。上記のようにして器具本体１と補助器具１２との間に身体を入れた時、身体は器具本体１と補助器具１２との間に圧迫されたようになり、筋肉に対する刺激力は強いものである。特に、補助器具１２で身体は締付けられた状態となるので背中と器具本体１との位置ずれを生ずることはない。
【００５０】
特に、太っている人６のお腹は丸く出っ張っている場合が多いが、紐１３がお腹の出っ張りにそって多数の指圧具１４を押し付けることになり、更に、各指圧具１４は点圧接するので、指圧効果は大きく、腹筋の刺激は大きいものである。
【００５１】
図１３は、図９に示す器具本体１とこれに取り付けた補助器具１２との他の使用例を示すものである。お尻を床或いは椅子の上に載せて上半身を起立させるか、全身を立ち上げて器具本体１と補助器具１２との間に身体、特に、背中と腹を入れ、上下に動かす。
【００５２】
器具本体１と指圧具１４とが同時に上下しつつ回転し、背筋と腹筋とを刺激することになる。この場合、身体の両横で紐１３か一部の転圧具１４をそれぞれ手で持って上下動させるが、紐１３の両側に前記すると同じような環状の取っ手（図示せず）を取り付け、この取っ手を持って上下動させてもよい。
【００５３】
紐１３は伸縮性を有するので、身体を器具本体１と補助器具１２との間に入れた時、器具本体１は背中に密着し、多数の指圧具１４は腹部に密着するので上下動させた時、背筋及び腹筋は同時に刺激され、鍛えられることになる。しかも、腕とともに肩を上下動させるので上半身の運動にもなる。
【００５４】
各指圧具１４は回転可能であるから、身体にそって移動させた時に回転するので、肌を擦って痛めることはない。更に、器具本体１と補助器具１２とを上下させる時、腕とともの肩を上下動させるので上半身の運動にもなる。尚、紐１３は、前記に示す紐１０と同じ材質のものを使用してもよい。
【００５５】
図９の実施形態では、器具本体１と補助器具１２とを使用しているが、背中と腹側に同じ器具本体１を使用すると全体が重く、取扱いに不便であるが、器具本体１に比べて軽い補助器具１２を使用することで取扱いが容易である利点を有している。尚、器具本体１を腹部にあてがい、多数の指圧具１４を背部にあてがって前後を逆にして使用するようにしてもよい
【産業上の利用可能性】
【００５６】
本発明健康器具は、手軽な器具本体１や補助器具、１２を使用することで健康維持、健康増進に役立ち、肥満を予防或いは改善して生活習慣病やメタボリック・シンドロームの予防に役立つものである。
【図面の簡単な説明】
【００５７】
【図１】本発明健康器具に使用する器具本体の斜視図である。
【図２】本発明健康器具に使用する器具本体の中央縦断面図である。
【図３】本発明健康器具に使用する器具本体の使用例を示す側面図である。
【図４】器具本体の孔にキャップを取り付ける状態の斜視図である。
【図５】器具本体に第１の補助器具を設けた健康器具の斜視図である。
【図６】図５に示す健康器具の使用例を示す側面図である。
【図７】図５に示す健康器具の他の使用例を示す側面図である。
【図８】図５に示す健康器具の更に他の使用例を示す側面図である。
【図９】器具本体に第２の補助器具を設けた健康器具の斜視図である。
【図１０】図９に示す健康器具で使用する補助器具の斜視図である。
【図１１】図９に示す健康器具で使用する紐の連結部材の斜視図である。
【図１２】図９に示す健康器具の使用例を示す側面図である。
【図１３】図９に示す健康器具の他の使用例を示す側面図である。
【符号の説明】
【００５８】
１  器具本体
２  芯材
３  指圧部材
４  装飾材
５  孔
６  人
７  差込部
８  キャップ
９  補助器具
１０  紐
１１  取っ手
１２  補助器具
１３  紐
１４  球状の指圧具
１５  連結部材
１６  連結具
１７  爪
１８  連結具
１９  握持部